(57)【要約】【課題】利用者が容易にテレビ会議を制御することを可能にし、テレビ会議の特長をより有効に活用することができるようにすること。【解決手段】複数拠点ごとに設置されたテレビ会議端末を通信ネットワーク経由で接続して行われるテレビ会議の実施を制御する情報収集・テレビ会議実施制御装置１において、ユーザインタフェース１１が、複数拠点においてテレビ会議の利用者が利用する利用者端末３から送信された情報を受信し、利用者によって利用者端末３に入力される情報に応じたテレビ会議の制御手順を定義した制御シナリオ、および、ユーザインタフェース１１によって受信された情報に基づいて、テレビ会議を制御する。【選択図】        図１
2009253625.tif 000002
【特許請求の範囲】
【請求項１】
複数拠点ごとに設置されたテレビ会議端末を通信ネットワーク経由で接続して行われるテレビ会議の実施を制御する情報収集・テレビ会議実施制御装置であって、
前記複数拠点において前記テレビ会議の利用者が利用する利用者端末から送信された情報を受信する情報受信手段と、
前記利用者によって前記利用者端末に入力される情報に応じた前記テレビ会議の制御手順を定義した制御シナリオおよび前記情報受信手段によって受信された情報に基づいて前記テレビ会議を制御するテレビ会議制御手段と、
を備えたことを特徴とする情報収集・テレビ会議実施制御装置。
【請求項２】
前記テレビ会議の制御に必要な各種処理を実行する関数群をシステム制御情報として記憶するシステム制御情報記憶手段と、
前記システム制御情報記憶手段によって記憶されたシステム制御情報に含まれる関数群から関数を選択する操作を前記利用者から受け付ける関数選択受付手段と、
前記関数選択受付手段によって利用者から受け付けられた関数を組み合わせて前記制御シナリオを生成する制御シナリオ制御手段と、
をさらに備えたことを特徴とする請求項１に記載の情報収集・テレビ会議実施制御装置。
【請求項３】
前記制御シナリオには、前記テレビ会議端末の動作を制御する定義がさらに含まれており、
前記テレビ会議制御手段は、前記制御シナリオに基づいて前記テレビ会議端末の動作をさらに制御することを特徴とする請求項１または２に記載の情報収集・テレビ会議実施制御装置。
【請求項４】
前記複数拠点には、前記テレビ会議に関する情報を検出する情報検出装置がそれぞれ設置されており、
前記テレビ会議制御手段は、前記制御シナリオおよび前記情報受信手段によって受信された情報とともに、前記情報検出装置から送信された情報に基づいて前記テレビ会議を制御することを特徴とする請求項１、２または３に記載の情報収集・テレビ会議実施制御装置。
【請求項５】
複数拠点ごとに設置されたテレビ会議端末を通信ネットワーク経由で接続して行われるテレビ会議の実施を制御する情報収集・テレビ会議実施制御方法であって、
前記複数拠点においてテレビ会議の利用者が利用する利用者端末から送信された情報を受信する情報受信工程と、
前記利用者によって前記利用者端末に入力される情報に応じた前記テレビ会議の制御手順を定義した制御シナリオおよび前記情報受信工程によって受信された情報に基づいて前記テレビ会議を制御するテレビ会議制御工程と、
を含んだことを特徴とする情報収集・テレビ会議実施制御方法。
【請求項６】
複数拠点ごとに設置されたテレビ会議端末を通信ネットワーク経由で接続して行われるテレビ会議の実施を制御する情報収集・テレビ会議実施制御プログラムであって、
前記複数拠点においてテレビ会議の利用者が利用する利用者端末から送信された情報を受信する情報受信手順と、
前記利用者によって前記利用者端末に入力される情報に応じた前記テレビ会議の制御手順を定義した制御シナリオおよび前記情報受信手順によって受信された情報に基づいて前記テレビ会議を制御するテレビ会議制御手順と、
をコンピュータに実行させることを特徴とする情報収集・テレビ会議実施制御プログラム。
【請求項７】
複数拠点ごとに設置されたテレビ会議端末を通信ネットワーク経由で接続して行われるテレビ会議の実施を制御する情報収集・テレビ会議実施制御装置と、前記複数拠点においてテレビ会議の利用者が利用する利用者端末とを含むテレビ会議システムであって、
前記利用者端末が、
前記テレビ会議の利用者から入力された情報を前記情報収集・テレビ会議実施制御装置に送信する情報送信手段を備え、
前記情報収集・テレビ会議実施制御装置が、
前記利用者端末から送信された情報を受信する情報受信手段と、
前記利用者によって前記利用者端末に入力される情報に応じた前記テレビ会議の制御手順を定義した制御シナリオおよび前記情報受信手段によって受信された情報に基づいて前記テレビ会議を制御するテレビ会議制御手段と、
を備えたことを特徴とするテレビ会議システム。
【請求項８】
前記利用者端末は、他の端末装置との間で情報を送受信可能な通信機能を備えていることを特徴とする請求項７に記載のテレビ会議システム。
【発明の詳細な説明】
【技術分野】
【０００１】
本発明は、通信網を介して複数のテレビ会議端末を接続して行うテレビ会議に関し、詳しくは、専門のオペレータがいなくとも、利用者自身が手元にある端末を介して、テレビ会議やテレビ会議端末の制御を行う事で円滑な議事進行を支援し、あるいは進行中のテレビ会議の映像・音声以外での様々な情報・状況の収集・共有と得られた情報・状況を利用し、利用者自身が容易にテレビ会議やテレビ会議端末の制御に反映することを可能にする情報収集・テレビ会議実施制御装置に関するものである。
【背景技術】
【０００２】
近年、遠隔地と意思疎通する手段として、従来の電話、ＦＡＸ、メールに加えてテレビ会議が普及してきている。テレビ会議の特長は、映像と音声の双方向・リアルタイムのやりとりによる臨場感の醸成、場の共有が可能な点である。また、１対１のやりとりから発展し、複数の拠点を接続するテレビ会議も一般的になりつつある。
【０００３】
通常、通信網を介して複数のテレビ会議端末を接続してテレビ会議を実施する場合、ＭＣＵ（Multipoint Control Unit：多地点通信制御装置）が用いられている。ＭＣＵは、各拠点からの映像の切り替えや音声の合成によりテレビ会議を実現する装置である。このＭＣＵの設定・管理を行うためには、テレビ会議に関する専門的知識が必要とされる。
【０００４】
ここでいう専門知識とは、例えば、通信プロトコルや映像および音声コーデック等に関する知識などであり、テレビ会議の利用者は、実際の通信回線の種類やその帯域等を考慮して、通信プロトコルや映像および音声コーデック等を選択・設定する必要がある。したがって、テレビ会議に関する専門知識を持たない利用者自身が、複数のテレビ会議端末を接続して多地点のテレビ会議を行うのは困難であった。これらの問題を解決するために、特許文献１または特許文献２では、ＭＣＵの他に専用のソフトウェアを用いて参加者の操作を簡略化するための技術が開示されている。
【０００５】
【特許文献１】特開２００２−３１４９６５号公報
【特許文献２】特開２００２−１３５７４１号公報
【発明の開示】
【発明が解決しようとする課題】
【０００６】
しかしながら、上述した従来技術における専用のソフトウェアはある程度の習熟を要するものであり、通常業務の中で一般の利用者が簡単に使用するには十分でなかった。特に、多くの拠点が参加しているテレビ会議の最中に映像・音声を制御する場合、次の問題が生じる。
【０００７】
まず、主催者・議長・講師以外に専門のオペレータやディレクタが必要となるという問題がある。一箇所に大人数が集合する会議では、進行を司る主催者や議長、あるいは講演の場合は講師がいる。会議は議事に従って進行され、質問のある参加者は挙手を行い、意思表示をする。テレビ会議で多くの拠点を接続した場合、議事に従って会議を進行することに加え、テレビ会議の映像・音声を適切に制御することが必要である。従来の専用のソフトウェアは、主催者・議長・講師が議事進行しながら操作することが困難であり、そのため、専門のオペレータやディレクタが必要となっている。
【０００８】
また、テレビ会議で共有される映像・音声以外の情報を共有する適切な手段がないという問題もある。一箇所に大人数が集合する会議では、公にやりとりされる会話（＝音声）以外に様々な形態のコミュニケーションが存在する。例えば、前述の挙手（＝ボディ・ランゲージの一種）や隣の参加者との秘話（＝こそこそ話）等である。テレビ会議は、複数の拠点が映像・音声を共有する事で場の共有を目指すものである。しかし、従来のテレビ会議システムでは、実際に一箇所に集合した場合にやりとりされる様々な情報・状況を共有する適切な手段がない。
【０００９】
以上の結果として、多くの拠点が参加しているテレビ会議では、テレビ会議が本来持っている双方向性やリアルタイム性という特長を活かしきれておらず、臨場感の醸成、場の共有の効果も限定的となっている。
【００１０】
本発明は、上述した従来技術による問題点を解消するためになされたものであり、利用者が容易にテレビ会議を制御することを可能とし、テレビ会議の特長をより有効に活用することができる情報収集・テレビ会議実施制御装置、情報収集・テレビ会議実施制御方法、情報収集・テレビ会議実施制御プログラムおよびテレビ会議システムを提供することを目的とする。
【課題を解決するための手段】
【００１１】
上述した課題を解決し、目的を達成するため、請求項１に係る発明は、複数拠点ごとに設置されたテレビ会議端末を通信ネットワーク経由で接続して行われるテレビ会議の実施を制御する情報収集・テレビ会議実施制御装置であって、前記複数拠点において前記テレビ会議の利用者が利用する利用者端末から送信された情報を受信する情報受信手段と、前記利用者によって前記利用者端末に入力される情報に応じた前記テレビ会議の制御手順を定義した制御シナリオおよび前記情報受信手段によって受信された情報に基づいて前記テレビ会議を制御するテレビ会議制御手段と、を備えたことを特徴とする。
【００１２】
また、請求項２に係る発明は、上記の発明において、前記テレビ会議の制御に必要な各種処理を実行する関数群をシステム制御情報として記憶するシステム制御情報記憶手段と、前記システム制御情報記憶手段によって記憶されたシステム制御情報に含まれる関数群から関数を選択する操作を前記利用者から受け付ける関数選択受付手段と、前記関数選択受付手段によって利用者から受け付けられた関数を組み合わせて前記制御シナリオを生成する制御シナリオ制御手段と、をさらに備えたことを特徴とする。
【００１３】
また、請求項３に係る発明は、上記の発明において、前記制御シナリオには、前記テレビ会議端末の動作を制御する定義がさらに含まれており、前記テレビ会議制御手段は、前記制御シナリオに基づいて前記テレビ会議端末の動作をさらに制御することを特徴とする。
【００１４】
また、請求項４に係る発明は、上記の発明において、前記複数拠点には、前記テレビ会議に関する情報を検出する情報検出装置がそれぞれ設置されており、前記テレビ会議制御手段は、前記制御シナリオおよび前記情報受信手段によって受信された情報とともに、前記情報検出装置から送信された情報に基づいて前記テレビ会議を制御することを特徴とする。
【００１５】
また、請求項５に係る発明は、複数拠点ごとに設置されたテレビ会議端末を通信ネットワーク経由で接続して行われるテレビ会議の実施を制御する情報収集・テレビ会議実施制御方法であって、前記複数拠点においてテレビ会議の利用者が利用する利用者端末から送信された情報を受信する情報受信工程と、前記利用者によって前記利用者端末に入力される情報に応じた前記テレビ会議の制御手順を定義した制御シナリオおよび前記情報受信工程によって受信された情報に基づいて前記テレビ会議を制御するテレビ会議制御工程と、
を含んだことを特徴とする。
【００１６】
また、請求項６に係る発明は、複数拠点ごとに設置されたテレビ会議端末を通信ネットワーク経由で接続して行われるテレビ会議の実施を制御する情報収集・テレビ会議実施制御プログラムであって、前記複数拠点においてテレビ会議の利用者が利用する利用者端末から送信された情報を受信する情報受信手順と、前記利用者によって前記利用者端末に入力される情報に応じた前記テレビ会議の制御手順を定義した制御シナリオおよび前記情報受信手順によって受信された情報に基づいて前記テレビ会議を制御するテレビ会議制御手順と、をコンピュータに実行させることを特徴とする。
【００１７】
また、請求項７に係る発明は、複数拠点ごとに設置されたテレビ会議端末を通信ネットワーク経由で接続して行われるテレビ会議の実施を制御する情報収集・テレビ会議実施制御装置と、前記複数拠点においてテレビ会議の利用者が利用する利用者端末とを含むテレビ会議システムであって、前記利用者端末が、前記テレビ会議の利用者から入力された情報を前記情報収集・テレビ会議実施制御装置に送信する情報送信手段を備え、前記情報収集・テレビ会議実施制御装置が、前記利用者端末から送信された情報を受信する情報受信手段と、前記利用者によって前記利用者端末に入力される情報に応じた前記テレビ会議の制御手順を定義した制御シナリオおよび前記情報受信手段によって受信された情報に基づいて前記テレビ会議を制御するテレビ会議制御手段と、を備えたことを特徴とする。
【００１８】
また、請求項８に係る発明は、上記の発明において、前記利用者端末は、他の端末装置との間で情報を送受信可能な通信機能を備えていることを特徴とする。
【発明の効果】
【００１９】
請求項１、５、６または７の発明によれば、複数拠点においてテレビ会議の利用者が利用する利用者端末から送信された情報を受信し、利用者によって前記利用者端末に入力される情報に応じたテレビ会議の制御手順を定義した制御シナリオ、および、利用者端末から受信した情報に基づいて、テレビ会議を制御するので、利用者が容易にテレビ会議を制御することを可能とし、テレビ会議の特長をより有効に活用することができるという効果を奏する。
【００２０】
また、請求項２の発明によれば、テレビ会議の制御に必要な各種処理を実行する関数群をシステム制御情報としてあらかじめ記憶し、記憶したシステム制御情報に含まれる関数群から関数を選択する操作を利用者から受け付け、受け付けた関数を組み合わせて制御シナリオを生成するので、利用者はテレビ会議を実施するうえで必要となる各種の制御を容易に行うことができるという効果を奏する。
【００２１】
また、請求項３の発明によれば、制御シナリオにはテレビ会議端末の動作を制御する定義がさらに含まれており、当該制御シナリオに基づいてテレビ会議端末の動作を制御するので、利用者は各拠点におけるテレビ会議端末の動作も含めてテレビ会議を制御することができるという効果を奏する。
【００２２】
また、請求項４の発明によれば、複数拠点にはテレビ会議に関する情報を検出する情報検出装置がそれぞれ設置されており、制御シナリオおよび利用者端末から受信した情報とともに、情報検出装置から送信された情報に基づいてテレビ会議を制御するので、利用者によって意識的に入力された情報だけでなく各拠点の状況に応じてテレビ会議を制御することができるという効果を奏する。
【００２３】
また、請求項８の発明によれば、利用者端末は、他の端末装置との間で情報を送受信可能な通信機能を備えていることとしたので、利用者は進行中のテレビ会議で共有される映像・音声以外の情報・状況を容易に共有することができるという効果を奏する。
【発明を実施するための最良の形態】
【００２４】
以下に添付図面を参照して、本発明に係る情報収集・テレビ会議実施制御装置、情報収集・テレビ会議実施制御方法、情報収集・テレビ会議実施制御プログラムおよびテレビ会議システムの好適な実施例を詳細に説明する。なお、以下に示す実施例では、テレビ会議の複数の利用者のうち、議事進行および画面切り替え等の制御を行う者を「主催者」と呼び、各拠点でテレビ会議に参加する者を「参加者」と呼ぶ。
【実施例１】
【００２５】
まず、本実施例１に係るテレビ会議システムのシステム構成について説明する。図１は、本実施例１に係るテレビ会議システムのシステム構成を示すブロック図である。同図に示すように、このテレビ会議システムは、通信ネットワーク５を介して通信可能にそれぞれ接続された情報収集・テレビ会議実施制御装置１と、ＭＣＵ４と、複数の拠点（拠点１〜拠点ｎ）に置かれたテレビ会議端末２１〜２ｎおよび利用者端末３１、３２１〜３ｎｎとを有する。
【００２６】
テレビ会議端末２１〜２ｎは、専用のＨ．３２３端末やカメラを備えたＰＣ端末や、テレビ会議が可能な携帯電話等の複数拠点（拠点１〜拠点ｎ）にある端末装置である。なお、テレビ会議端末２１〜２ｎはいずれも同様の機能を有するので、以下では、テレビ会議端末２として説明する。
【００２７】
利用者端末３１、３２１〜３ｎｎは、利用者が情報収集・テレビ会議実施制御装置１のユーザインタフェース１１を介してテレビ会議の制御を行うために用いられ、拠点側の様々な情報・状況を収集する複数の端末装置である。これら利用者端末３１、３２１〜３ｎｎは、例えば、市販の携帯端末（ＰＤＡ：Personal Digital Assistant）や、パーソナルコンピュータ（ＰＣ：Personal Computer）などであり、用途・利用目的により、各拠点に１台または複数台、あるいは利用者１人に一台という形態で利用される。なお、利用者端末３１、３２１〜３ｎｎはいずれも同様の機能を有するので、以下では、利用者端末３として説明する。
【００２８】
ＭＣＵ４は、複数拠点にあるテレビ会議端末２を制御するための１つまたは複数の通信制御装置であり、少なくとも、ユーザインタフェース４１と外部システムインタフェース４２とを備えている。
【００２９】
通信ネットワーク５は、例えば、インターネットやＷＡＮ（Wide Area Network）などの通信網であり、上記の各装置を接続する。特に、ＮＧＮ（Next Generation Network）では、ネットワーク側の品質保証機能を活用する事が可能になる為、テレビ会議に好適な環境が提供可能となる。なお、同図においては、各機器が有線で接続されている場合を示しているが、勿論、無線で接続されていてもよい。特に、利用者端末３としてＰＤＡを利用する場合には、無線の方が利便性も高い。無線機器間の相互接続性等については、例えば、Ｗｉ−Ｆｉ  Ａｌｌｉａｎｃｅなどの業界団体による認定が行われている。
【００３０】
情報収集・テレビ会議実施制御装置１は、複数拠点ごとに設置されたテレビ会議端末２を通信ネットワーク経由で接続して行われるテレビ会議の実施を制御する装置であり、ユーザインタフェース１１と、情報管理部１２と、情報記憶部１３と、制御シナリオ記述部１４と、テレビ会議制御部１５とを有する。
【００３１】
ユーザインタフェース１１は、利用者が利用者端末３から接続して、事前設定や画面切り換え等のテレビ会議の制御や、様々な情報・状況の送受信を行うためのインタフェースである。情報管理部１２および情報記憶部１３は、複数のテレビ会議端末２を接続してテレビ会議を行うためにあらかじめ記憶された情報を記憶・更新・参照するための処理部および記憶部である。
【００３２】
制御シナリオ記述部１４は、ユーザインタフェース１１を介して利用者端末３から収集された情報・状況とテレビ会議の制御を結びつける記述部である。テレビ会議制御部１５は、情報記憶部１３に記憶された情報と制御シナリオ記述部１４中に記憶された制御シナリオに基づいて、外部システムインタフェースを介してＭＣＵ４やテレビ会議端末２等、システムに含まれる様々な機器を制御する制御部である。
【００３３】
なお、情報収集・テレビ会議実施制御装置１のユーザインタフェース１１、および、ＭＣＵ４中のユーザインタフェース４１に関しては、利用者端末３に専用ソフトをインストールする必要があった従来のクライアント／サーバ型に代わり、利用者端末３に通常、インストールされているＷｅｂブラウザを用いてＨＴＴＰ（Hyper Text Transfer Protocol）で通信するＷｅｂアプリケーションの形態が増えてきている。その場合には、ユーザインタフェース１１、４１の提供にＷｅｂサーバが用いられる。
【００３４】
また、ＭＣＵ４中の外部システムインタフェース４２は、外部から該システムの機能を利用する命令や関数の集合であるＡＰＩ（Application Program Interface）であり、ＷＷＷ（World Wide Web）関連の技術を用い、ネットワークを介して利用できるようにしたＷｅｂサービスの形態で提供される。
【００３５】
図２は、情報記憶部１３が保有する情報の具体例を示す図である。同図に示すように、情報記憶部１３は、テレビ会議端末情報１３１と、利用者端末情報１３２と、ＭＣＵ情報１３３と、テレビ会議室情報１３４と、システム制御情報１３５とを記憶する。
【００３６】
テレビ会議端末情報１３１は、複数拠点にあるテレビ会議端末２を制御するための情報であり、利用者端末情報１３２は、利用者端末３を識別するための情報である。ＭＣＵ情報１３３は、外部システムインタフェース４２を介してＭＣＵ４に接続するための情報であり、テレビ会議室情報１３４は、あらかじめＭＣＵ４上に設定されたテレビ会議室に関する情報である。
【００３７】
システム制御情報１３５は、外部システムインタフェース４２を介してＭＣＵ４やテレビ会議端末２等、システムに含まれる様々な機器を制御するための関数群を記憶した情報である。なお、情報管理部１２および情報記憶部１３は、例えば、通常のデータベース管理システムにより実現される。
【００３８】
次に、本実施例１に係るテレビ会議システムの処理手順の概要について説明する。図３は、本実施例に係るテレビ会議システムの処理手順の概要を示すフローチャートである。同図に示すように、本実施例に係るテレビ会議システムでは、事前設定フェーズ（ステップＳ１０００）、実施フェーズ（ステップＳ２０００）の順で処理が行われる。そして、設定変更の必要がある場合は（ステップＳ３１００，Ｙｅｓ）、事前設定フェーズ（ステップＳ１０００）に戻り、設定変更の必要がない場合は（ステップＳ３１００，Ｎｏ）、他の会議予定がある限り（ステップＳ３２００，Ｙｅｓ）、実施フェーズ（ステップＳ２０００）が繰り返される。
【００３９】
事前設定フェーズ（ステップＳ１０００）は、テレビ会議を実施する前に、情報収集・テレビ会議実施制御装置１およびＭＣＵ４に事前設定を行うフェーズである。この事前設定フェーズでは、情報収集・テレビ会議実施制御装置１およびＭＣＵ４は、複数の利用者のうちテレビ会議の主催者からユーザインタフェース１１、４１を介して各種の情報を受け付け、受け付けた情報に基づいて事前設定に関する処理を行う。
【００４０】
実施フェーズ（ステップＳ２０００）は、利用者がテレビ会議端末２を利用してテレビ会議を実施するフェーズである。この実施フェーズでは、情報収集・テレビ会議実施制御装置１は、利用者端末３によって収集される様々な情報をもとに主催者によって行われる各種操作を、ユーザインタフェース１１を介して受け付ける。そして、情報収集・テレビ会議実施制御装置１は、受け付けた各種操作に基づいて、ＭＣＵ４やテレビ会議端末２等、テレビ会議システムに含まれる様々な機器を制御し、接続や画面切り換え、音声のミュート等の処理を行う。
【００４１】
次に、事前設定フェーズにおけるテレビ会議システムの処理手順について説明する。図４は、事前設定フェーズにおけるテレビ会議システムの処理手順を示すフローチャートである。なお、ＭＣＵ４は製品によって必要な設定が異なるため、ここでは、情報収集・テレビ会議実施制御装置１の設定に焦点を当てて図示する。
【００４２】
同図に示すように、事前設定フェーズでは、まず、情報収集・テレビ会議実施制御装置１が、ユーザインタフェース１１を介して利用者からテレビ会議端末２に関する情報を受け付け、情報記憶部１３中のテレビ会議端末情報１３１を設定する。また、同様に、ＭＣＵ４が、ユーザインタフェース４１を介して利用者からテレビ会議端末に関する情報を受け付け、自装置の記憶部にテレビ会議端末情報を設定する。なお、これらのステップ間の処理順序に前後関係はないが、各情報間の対応関係の整合性がとれていることと、情報収集・テレビ会議実施制御装置１中の情報記憶部１３において、その対応関係が保持される事が必要である。
【００４３】
図５は、情報記憶部１３中のテレビ会議端末情報１３１の一例を示す図である。テレビ会議端末２と会議の参加拠点とはほぼ同義であるため、同図に示すように、テレビ会議端末情報１３１には、部署、拠点名あるいは個人名（個人参加型のテレビ会議端末の場合）が登録される。なお、同図において、「装置１」は、「情報収集・テレビ会議実施制御装置１」を表している（以降の図についても同様）。
【００４４】
一方、ＭＣＵ４に関しては、テレビ会議端末２に関する情報を事前に設定する必要がなく、制御の都度、ＩＰ（Internet Protocol）アドレス等を外部システムインタフェース４２を介して与えれば良い機種もある。そのため、図４では、ＭＣＵ４におけるテレビ会議端末情報の設定を示す処理には括弧を付けている。
【００４５】
図４にもどって、同様に、情報収集・テレビ会議実施制御装置１は、ユーザインタフェース１１を介して利用者から利用者端末３に関する情報を受け付け、情報記憶部１３の利用者端末情報１３２を設定する。
【００４６】
図６は、情報記憶部１３中の利用者端末情報１３２の一例を示す図である。利用者端末３は各拠点に１台または複数台、あるいは利用者１人に一台という形態で利用されるため、同図に示すように、利用者端末情報１３２には、テレビ会議端末２のＩＤと利用者端末３のＩＤの対応関係が登録される。これにより、利用者から収集した様々な情報・状況とテレビ会議の制御を関連付けることが可能となる。
【００４７】
また、同様に、情報収集・テレビ会議実施制御装置１は、ユーザインタフェース１１を介して利用者からＭＣＵ４に関する情報を受け付け、情報記憶部１３のＭＣＵ情報１３３を設定する。ここで、ＭＣＵ情報１３３とは、テレビ会議制御部１５を介してＭＣＵ４を接続するのに必要な情報であり、ＭＣＵ４自体のＩＰアドレス等である。
【００４８】
また、同様に、情報収集・テレビ会議実施制御装置１は、ユーザインタフェース１１を介して利用者からテレビ会議室に関する情報を受け付け、情報記憶部１３のテレビ会議室情報１３４を設定する。また、ＭＣＵ４も、同様に、ユーザインタフェース４１を介して利用者からテレビ会議室に関する情報を受け付け、自装置の記憶部にテレビ会議室情報を設定する。
【００４９】
図７は、情報記憶部１３中のテレビ会議室情報１３４の一例を示す図である。ここで、テレビ会議室とは、ＭＣＵ４上に設定された仮想的な会議室であり、テレビ会議室を複数設定する事で映像・音声が混信せずに、複数の異なるテレビ会議を同時に行うことが可能である。同図は、Ｈ．３２３の呼制御を利用した場合を示しており、各テレビ会議室をＥ．１６４アドレスにより識別している。
【００５０】
また、同様に、情報収集・テレビ会議実施制御装置１は、ユーザインタフェース１１を介して利用者からシステム制御情報に関する情報を受け付け、情報記憶部１３のシステム制御情報１３５を設定する。
【００５１】
図８は、情報記憶部１３中のシステム制御情報１３５の一例を示す図である。ここで、システム制御情報１３５とは、外部システムインタフェース４２を介してＭＣＵ４やテレビ会議端末２等、システムに含まれる様々な機器を制御するために必要な情報、あるいは、装置１自身に表示される情報（ボタンやフレーム中の文字列）である。具体的には、このシステム制御情報１３５には、同図に示すように、制御対象、制御内容を表す関数名、制御の際に与える引数、および、返戻値などが登録される。
【００５２】
そして、事前設定フェーズの最後として、情報収集・テレビ会議実施制御装置１は、制御シナリオ記述部１４が、利用者端末３から入力される情報と、接続状況等のＭＣＵ４から取得される情報と、システム制御情報１３５とを組み合わせた制御シナリオを記述する。
【００５３】
具体的には、情報収集・テレビ会議実施制御装置１は、ユーザインタフェース１１が、システム制御情報１３５に登録されている関数群から関数を選択する操作を利用者から受け付ける。そして、制御シナリオ記述部１４が、ユーザインタフェース１１によって利用者から受け付けられた関数を組み合わせて、各種の制御に応じた制御シナリオをソースコードとして自動生成する。
【００５４】
通常、利用者は、このような制御シナリオ自体はソースコードとしてプログラミングする必要があるが、本実施例１では、図８に示したシステム制御情報１３５を管理することによって、制御シナリオとなるソースコードを自動生成することを可能にしている。これにより、利用者は、容易に複数のシナリオを事前に設定しておく事が可能となる。
【００５５】
ソースコードの自動生成は一般的には困難であるが、本実施例１のように対象範囲を限定し、定型的なソースコードを自動生成することは可能である。特に、オブジェクト指向言語の登場により、例えば、頻繁に必要とされる汎用的な機能を「フレームワーク」として提供する事が可能となっている。
【００５６】
図９〜１３は、制御シナリオ記述部１４中の制御シナリオの例を説明するためのフローチャート図である。これら制御シナリオは、利用者によって事前に設定される。なお、ここでは、分かりやすくするためフローチャートを用いて図式表現で示したが、制御シナリオは、内部的には、文書・データとして、例えば、より管理が容易なＸＭＬ（extensible markup language）等を用いて記述・保管してもよい。
【００５７】
図９〜１３は、制御シナリオの例をモードごとに示している。本実施例１では、具体的なシナリオとして、図９に「点呼モード」、図１０に「講演中モード」、図１１−１および１１−２に「挙手受付モード」、図１２に「発言指示モード」、図１３に「アンケートモード」をそれぞれ示している。なお、前述のとおり、利用者、特に主催者はソースコードをプログラミングする必要なく、これらのモード以外にも、会議進行に有用と考えられる各種モードをシナリオとして記述・設定できる。
【００５８】
図９に示す点呼モードでは、各テレビ会議端末２の接続状況を主催者側の利用者端末３に色分けして表示すると共に、各利用者端末３から参加者が映像音声を確認したかどうかを表示する事が可能となる。図１０に示す講演中モードでは、主催者が各拠点の接続状況、ミュート状況を一覧でき、接続・ミュート等の制御が可能であると共に、参加者側は手元の利用者端末３で自拠点の接続状況、ミュート状況を確認する事が可能となる。
【００５９】
図１１−１および１１−２に示す挙手受付モードでは、各拠点の挙手（＝発言の意思）状況を確認しつつ、ワンタッチでミュートを制御でき、想定外の拠点から不必要な音声が入り込む事を防ぎつつ、質問者と回答者に画面を切り替えることが可能となる。図１２に示す発言指示モードでは、主催者の意思（＝発言拠点の指示）に基づいて、挙手受付モード同様のワンタッチでのミュートの制御が可能となる。図１３のアンケートモードでは、アンケートに対する各拠点の回答結果を確認しつつ、発言指示モード同様の制御が可能となる。
【００６０】
次に、実施フェーズにおけるテレビ会議システムの処理手順の詳細について説明する。図１４は、実施フェーズにおけるテレビ会議システムの処理手順の詳細を示すフローチャートである。同図に示すように、実施フェーズでは、まず、情報収集・テレビ会議実施制御装置１において、ユーザインタフェース１１が、主催者側および参加者側の利用者端末３に所定の画面を表示し、接続先のテレビ会議室および主催者拠点の選択を利用者から受け付ける。
【００６１】
ここで、ユーザインタフェース１１が、接続先のテレビ会議室および主催者拠点の選択を利用者から受け付けることによって、制御対象となるテレビ会議室と制御を実施する拠点とがそれぞれ明確となる。
【００６２】
続いて、情報収集・テレビ会議実施制御装置１では、ユーザインタフェース１１が、モードの選択を受け付ける。そして、テレビ会議制御部１５が、選択されたモードに応じて、あらかじめ記述・設定されている制御シナリオとシステム制御情報１３５とを参照して、制御命令を作成・発行する。これにより、例えば、図９〜１３に示した制御シナリオに基づいてテレビ会議の制御が行われる。なお、テレビ会議制御部１５よって行われる制御シナリオに基づいたテレビ会議システムの制御については、後に詳細に説明する。
【００６３】
一方、ＭＣＵ４では、テレビ会議制御部１５によって発行された制御命令を外部システムインタフェース４２を介して受信し、受信した制御命令を実施する。ＭＣＵ４によって制御命令が実施されている間、情報収集・テレビ会議実施制御装置１では、ユーザインタフェース１１が適切な画面描画を行う。
【００６４】
なお、本実施例１では、主催者側では各拠点の状況を一覧するため、タッチパネル式の利用者端末３を、参加者側では簡便性からＰＤＡ式の利用者端末３を想定しており、制御は全て画面上のボタンの押し下げと関連付けられている。そのため、利用者が他のボタンを押し下げる都度、この一連の処理フローが実施される。そして、利用者によって他モードが選択された場合は、ユーザインタフェース１１は、モードの選択の画面まで戻る。
【００６５】
以下、本実施例１に係るテレビ会議システムにおけるテレビ会議の制御をモードごとに説明する。本実施例１に係るテレビ会議システムにおけるテレビ会議の制御は、前述した制御シナリオのフローチャートに従って行われる。なお、ここでは、図９〜１３に示した制御シナリオに基づくモードごとの制御について説明することとし、図１５〜１９を用いて、主催者側の利用者端末３に表示される画面（主催者側画面）および参加者側の利用者端末３に表示される画面（参加者側画面）をそれぞれ示しながら説明する。
【００６６】
まず、点呼モードにおける制御について説明する。図１５は、点呼モードにおける利用者端末３の画面表示例を示す図である。点呼モードが選択された場合には、まず、情報収集・テレビ会議実施制御装置１のユーザインタフェース１１として、同図に示すように、主催者側画面Ａ（同図（ａ）に示す「画面Ａ」）のボタン０１に「戻る」が表示される。このボタン０１には、モード選択画面への遷移処理が関連付けられる。
【００６７】
続いて、情報収集・テレビ会議実施制御装置１からＭＣＵ４に状況確認の制御命令が送信される。そして、主催者側画面Ａには、テレビ会議端末の接続状況と点呼状況に応じて、対応する利用者端末名と色（例えば、未接続：赤色、接続・未点呼：黄色など）がボタン０２に表示される。
【００６８】
この間、参加者側画面Ｂ（同図（ｂ）に示す「画面Ｂ」）のフレーム０１には、「点呼中です。映像・音声ともに良好の場合、「ＯＫ」ボタンをタッチして下さい。」という表示がされる。また、ボタン０３には、「ＯＫ」が表示される。このボタン０３には、情報収集・テレビ会議実施制御装置１のユーザインタフェース１１に対する信号送信処理が関連付けられる。
【００６９】
ここで、各拠点の参加者によってボタン０３が押し下げられた場合には、主催者側画面Ａのボタン０２の表示色が変化する(例えば、接続・点呼済：青色など)。そして、参加者側画面Ｂのフレーム０１には「点呼応答完了。本番開始までお待ちください」と表示される。
【００７０】
また、主催者によって主催者側画面Ａの赤色のボタン０２が押し下げられた場合には、ボタン０２は接続処理と関連付けられているので、図１４で示した処理フローに従って、接続の制御命令がＭＣＵ４に送信されて、実行される。点呼モード中は、これらの処理フローが繰り返される。
【００７１】
次に、講演モードにおける制御について説明する。図１６は、講演中モードにおける利用者端末３の画面表示例を示す図である。講演モードが選択された場合には、まず、点呼モード同様、同図に示すように、主催者側画面Ｃ（同図（ａ）に示す「画面Ｃ」）のボタン０４に「戻る」が表示される。このボタン０４には、モード選択画面への遷移処理が関連付けられる。
【００７２】
続いて、情報収集・テレビ会議実施制御装置１からＭＣＵ４に状況確認の制御信号が送信される。そして、主催者側画面Ｃには、テレビ会議端末の接続状況とミュート状況に応じて、対応する利用者端末名と色（例えば、未接続：赤色、接続・ミュートＯＦＦ：青色、接続・ミュートＯＮ：水色など）がボタン０５に表示される。
【００７３】
ここで、ボタン０５は、その表示色に応じて、押し下げた際に関連付けられる制御が異なる（例えば、赤色：接続、青色：ミュート、水色：ミュート解除など）。それぞれ関連付けられた制御に応じて、図１４で示した処理フローに従って、情報収集・テレビ会議実施制御装置１からＭＣＵ４に接続の制御命令が送信されて、ＭＣＵ４においてその制御信号が実行される。
【００７４】
この間、参加者側画面Ｄ（同図（ｂ）に示す「画面Ｄ」）のフレーム０２には、接続状況とミュート状況に応じたメッセージが表示される。講演モード中は、これらの処理フローが繰り返される。
【００７５】
次に、挙手受付モードにおける制御について説明する。図１７は、挙手受付モードにおける利用者端末３の画面表示例を示す図である。挙手受付モードが選択された場合には、まず、質疑応答を円滑に進めるため、図１４の処理フローに従って、情報収集・テレビ会議実施制御装置１からＭＣＵ４に主催者拠点のテレビ会議端末以外の全テレビ会議端末の音声をカットする制御信号が送信され、ＭＣＵ４によって当該制御信号が実行される。
【００７６】
続いて、同図に示すように、主催者側画面Ｅ（同図（ａ）に示す「画面Ｅ」）のボタン０６に「発言許可」、ボタン０７に「発言終了」、ボタン０８に「戻る」が表示され、それぞれ対応する処理が関連付けられる。
【００７７】
また、参加者側画面Ｆ（同図（ｂ）に示す「画面Ｆ」）には、フレーム０３に挙手を促すメッセージが表示され、ボタン０９に「挙手」が表示される。このボタン０９には、情報収集・テレビ会議実施制御装置１のユーザインタフェース１１に対する信号送信が関連付けられる。ここで、ボタン０９は、例えばトグルボタンとなっており、押し下げられた場合には「取消」と表示される。
【００７８】
続いて、主催者側画面Ｅのボタン１０には、参加者側画面Ｆのボタン０９で、挙手の意思を表明した拠点の利用者端末名が表示される（初期状態でミュートしたため、ボタン１０の表示色は水色になる）。このボタン１０は、押し下げると、例えば緑色に変化する。
【００７９】
続いて、ボタン０６が押し下げられると、発言許可と判定され、図１４の処理フローに従って、情報収集・テレビ会議実施制御装置１からＭＣＵ４にミュート解除の制御信号が送信され、ＭＣＵ４によって当該制御信号が実行される。同時に、参加者側画面Ｆのフレーム０３において、発言許可を示すメッセージが表示され、ボタン０９は表示されなくなる。
【００８０】
そして、主催者と発言を許可された参加者との応答が終了し、ボタン０７が押し下げられると、図１４の処理フローに従って、情報収集・テレビ会議実施制御装置１からＭＣＵ４にミュートの制御信号が送信され、ＭＣＵ４によって当該制御信号が実行される（ボタン１０の表示色は水色に戻る）。一方、参加者側画面Ｆのフレーム０３とボタン０９は初期状態に戻る。挙手受付モード中は、これらの処理フローが繰り返される。
【００８１】
次に、発言指示モードにおける制御について説明する。図１８は、発言指示モードにおける利用者端末３の画面表示例を示す図である。発言指示モードが選択された場合には、挙手受け付けモード同様、まず、質疑応答を円滑に進めるため、図１４の処理フローに従って、情報収集・テレビ会議実施制御装置１からＭＣＵ４に主催者拠点のテレビ会議端末以外の全テレビ会議端末の音声をカットする制御信号が送信され、ＭＣＵ４によって当該制御信号が実行される。
【００８２】
続いて、主催者側画面Ｇ（同図（ａ）に示す「画面Ｇ」）のボタン１１に「発言指示」、ボタン１２に「発言終了」、ボタン１３に「戻る」が表示され、それぞれ対応する処理が関連付けられる。また、参加者側画面Ｈ（同図（ｂ）に示す「画面Ｈ」）には、フレーム０４に「テレビ会議進行中」というメッセージが表示される。
【００８３】
ここで、主催者側画面Ｇのボタン１４には、接続しているテレビ会議端末２に対応した利用者端末名が表示される（初期状態でミュートしたため、ボタン１４の表示色は水色）。このボタン１４は、押し下げられると緑色に変化する。
【００８４】
続いて、ボタン１１が押し下げられると、発言指示と判定され、図１４の処理フローに従って、情報収集・テレビ会議実施制御装置１からＭＣＵ４にミュート解除の制御信号が送信され、ＭＣＵ４によって当該制御信号が実行される。同時に参加者側画面Ｈのフレーム０４において、発言指示を示すメッセージが表示される。
【００８５】
そして、主催者と発言を許可された参加者の応答が終了し、ボタン１２が押し下げられると、図１４の処理フローに従って、情報収集・テレビ会議実施制御装置１からＭＣＵ４にミュートの制御信号が送信され、ＭＣＵ４によって当該制御信号が実行される（ボタン１４の表示色は水色に戻る）。一方、参加者側画面Ｈのフレーム０４は初期状態に戻る。発言指示モード中は、これらの処理フローが繰り返される。
【００８６】
次に、アンケートモードにおける制御について説明する。図１９は、アンケートモードにおける利用者端末３の画面表示例を示す図である。アンケートモードでは、上記のモードと異なり、情報収集・テレビ会議実施制御装置１からＭＣＵ４に制御信号は送信されず、主催者側画面Ｅのボタン１５、１６、１７および１８と参加者側画面Ｆのボタン１９および２０に関連付けられる処理は、情報収集・テレビ会議実施制御装置１のユーザインタフェースとのやりとりのみとなる。
【００８７】
以上のように、あらかじめ複数の制御シナリオを記述・設定しておけば、拠点側の情報・状況の把握とテレビ会議の制御を容易に関連付ける事が可能となる。
【００８８】
上述してきたように、本実施例１によれば、ユーザインタフェース１１が、複数拠点においてテレビ会議の利用者が利用する利用者端末３から送信された情報を受信し、利用者によって利用者端末３に入力される情報に応じたテレビ会議の制御手順を定義した制御シナリオ、および、ユーザインタフェース１１によって受信された情報に基づいて、テレビ会議を制御するので、利用者が容易にテレビ会議を制御することを可能とし、映像と音声の双方向・リアルタイムのやりとりによる臨場感の醸成、場の共有といったテレビ会議の特長をより有効に活用することができる。
【００８９】
また、本実施例１によれば、情報記憶部１３が、テレビ会議の制御に必要な各種処理を実行する関数群をシステム制御情報１３５として記憶し、ユーザインタフェース１１が、システム制御情報１３５に含まれる関数群から関数を選択する操作を利用者から受け付け、制御シナリオ記述部１４が、ユーザインタフェース１１によって利用者から受け付けられた関数を組み合わせて制御シナリオを生成するので、利用者は、あらかじめ用意されている関数を適宜組み合わせて各種の制御シナリオを作成することによって、テレビ会議を実施するうえで必要な各種の制御を容易に行うことができる。
【００９０】
さて、これまで本発明に係る実施例を実施例１として説明したが、本発明は上述した実施例１以外にも、種々の異なる形態にて実施されてもよいものである。そこで、以下では実施例２、３および４として、本発明に含まれる他の実施例を説明する。
【実施例２】
【００９１】
上記実施例では、ＭＣＵ４をテレビ会議システムの制御対象として、接続や音声カットといった制御を行う例を示した。しかしながら、テレビ会議システムとしては、各拠点のテレビ会議端末２も制御可能である。具体例としては、カメラの首振りやズームといった制御が可能であり、あらかじめ参加者の着席位置にカメラの角度とズームを合わせておく「プリセット」という機能を有するテレビ会議端末２も多い。
【００９２】
このようなテレビ会議端末２自体の制御を図８に示したシステム制御情報１３５に登録しておき、制御シナリオを記述しておけば、例えば、挙手受付モードで挙手の意思表示をした参加者個人にカメラの角度とズームを合わせる事も可能となる。
【００９３】
すなわち、本実施例２によれば、情報記憶部１３によって記憶される制御シナリオにはテレビ会議端末２の動作を制御する定義が含まれており、テレビ会議制御部１５が、当該制御シナリオに基づいてテレビ会議端末２の動作を制御するので、利用者は各拠点におけるテレビ会議端末２の動作も含めてテレビ会議を制御することができる。
【実施例３】
【００９４】
また、上記実施例では、参加者側の利用者端末３としてＰＤＡを想定したが、ボタン等の押し下げにより、能動的に利用者が情報・状況を伝える以外に、様々なセンサを取り付ける事で、各拠点の照度・音量・位置といった情報を収集する事も可能となる。
【００９５】
図２０は、利用者端末３に各種センサを組み合わせた場合の拠点の接続例を示す図である。例えば、同図に示すように、照度センサから得られる照度データを利用し、テレビ会議実施に適切な照明状況を遠隔から主催者が調整可能となる。また、参加者に無線タグを持参してもらい、会議室内でのそれぞれの位置を位置センサによって把握する事で、より適切なカメラの制御も可能となる。
【００９６】
さらに、重量センサを用いて各拠点に質問用の演台を設置し、質問者が演台に乗った事を検知して、挙手の意思表示とするシステム構成も可能である。また、音量データから得られる音量データを利用し、スピーカからの音声出力を遠隔から主催者が適切に調整する事も可能となる。
【００９７】
すなわち、本実施例３によれば、複数拠点にはテレビ会議に関する情報を検出する各種センサがそれぞれ設置されており、テレビ会議制御部１５が、制御シナリオおよび利用者端末３から受信した情報とともに、各種センサから送信された情報に基づいてテレビ会議を制御するので、利用者によって意識的に入力された情報だけでなく各拠点の状況に応じてテレビ会議を制御することができる。
【実施例４】
【００９８】
また、近年では、ＰＤＡなどの携帯情報端末は、無線通信を行う機能を備えたものも広く普及しており、さらに、例えば、Ｗｉ−Ｆｉ（Wireless Fidelity）端末などでは、通話機能をサポートしている機種も多い。そこで、このような通話機能をサポートしているＰＤＡを利用者端末３として利用すれば、テレビ会議上で公にやりとりされる映像・音声以外に主催者−参加者間あるいは参加者同士間での通話を実現する事も可能となる。
【００９９】
すなわち、本実施例４によれば、利用者端末３が、他の端末装置との間で情報を送受信可能な通信機能を備えていることとしたので、利用者は進行中のテレビ会議で共有される映像・音声以外の情報・状況を用意に共有することができる。
【０１００】
以上、実施例１〜４では、情報収集・テレビ会議実施制御装置について説明したが、情報収集・テレビ会議実施制御装置が有する構成をソフトウェアによって実現することで、同様の機能を有する情報収集・テレビ会議実施制御プログラムを得ることができる。そこで、この情報収集・テレビ会議実施制御プログラムを実行するコンピュータについて説明する。
【０１０１】
図２１は、本実施例に係る情報収集・テレビ会議実施制御プログラムを実行するコンピュータの構成を示す機能ブロック図である。同図に示すように、このコンピュータ１００は、ＲＡＭ（Random Access Memory）１１０と、ＣＰＵ（Central Processing Unit）１２０と、ＨＤＤ（Hard Disk Drive）１３０と、ＬＡＮ（Local Area Network）インタフェース１４０と、入出力インタフェース１５０と、ＤＶＤ（Digital Versatile Disk）ドライブ１６０とを有する。
【０１０２】
ＲＡＭ１１０は、プログラムやプログラムの実行途中結果などを記憶するメモリであり、ＣＰＵ１２０は、ＲＡＭ１１０からプログラムを読み出して実行する中央処理装置である。
【０１０３】
ＨＤＤ１３０は、プログラムやデータを格納するディスク装置であり、ＬＡＮインタフェース１４０は、コンピュータ１００をＬＡＮ経由で他のコンピュータに接続するためのインタフェースである。
【０１０４】
入出力インタフェース１５０は、マウスやキーボードなどの入力装置および表示装置を接続するためのインタフェースであり、ＤＶＤドライブ１６０は、ＤＶＤの読み書きを行う装置である。
【０１０５】
そして、このコンピュータ１００において実行される情報収集・テレビ会議実施制御プログラム１１１は、ＤＶＤに記憶され、ＤＶＤドライブ１６０によってＤＶＤから読み出されてコンピュータ１００にインストールされる。
【０１０６】
あるいは、この情報収集・テレビ会議実施制御プログラム１１１は、ＬＡＮインタフェース１４０を介して接続された他のコンピュータシステムのデータベースなどに記憶され、これらのデータベースから読み出されてコンピュータ１００にインストールされる。
【０１０７】
そして、インストールされた情報収集・テレビ会議実施制御プログラム１１１は、ＨＤＤ１３０に記憶され、ＲＡＭ１１０に読み出されてＣＰＵ１２０によって実行される。
【０１０８】
以上、述べてきたように、本実施例によれば、あらかじめ参加者から収集した様々な情報・状況とテレビ会議の制御を関連付けた制御シナリオを準備しておく事で、専門のオペレータがいなくとも、議長・講師といった会議の主催者自身が手元の利用者端末を介して、容易にテレビ会議やテレビ会議端末の制御を行うことができる。また、本実施例によれば、進行中のテレビ会議で共有される映像・音声以外の情報・状況を主催者−参加者間あるいは参加者同士間で共有することができる。したがって、本実施例によれば、臨場感の醸成、場の共有といった効果を高めることができる。
【０１０９】
なお、本実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１０】
この他、上記文書中や図面中で示した処理手順、制御手順、具体的名称、各種のデータやパラメータを含む情報については、特記する場合を除いて任意に変更することができる。
【０１１１】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１２】
さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１１３】
以上のように、本発明に係る情報収集・テレビ会議実施制御装置、情報収集・テレビ会議実施制御方法、情報収集・テレビ会議実施制御プログラムおよびテレビ会議システムは、複数拠点ごとに設置されたテレビ会議端末を通信ネットワーク経由で接続して行われるテレビ会議に有用であり、特に、特定の利用者によって議事進行が行われるテレビ会議に適している。
【図面の簡単な説明】
【０１１４】
【図１】本実施例１に係るテレビ会議システムのシステム構成を示すブロック図である。
【図２】情報記憶部が保有する情報の具体例を示す図である。
【図３】本実施例に係るテレビ会議システムの処理手順の概要を示すフローチャートである。
【図４】事前設定フェーズにおけるテレビ会議システムの処理手順を示すフローチャートである。
【図５】情報記憶部中のテレビ会議端末情報の一例を示す図である。
【図６】情報記憶部中の利用者端末情報の一例を示す図である。
【図７】情報記憶部中のテレビ会議室情報の一例を示す図である。
【図８】情報記憶部中のシステム制御情報の一例を示す図である。
【図９】点呼モードの制御シナリオ一例を示すフローチャートである。
【図１０】講演中モードの制御シナリオの一例を示すフローチャートである。
【図１１−１】挙手受付モードの制御シナリオの一例を示すフローチャート（１）である。
【図１１−２】挙手受付モードの制御シナリオの一例を示すフローチャート（２）である。
【図１２】発言指示モードの制御シナリオの一例を示すフローチャートである。
【図１３】アンケートモードの制御シナリオの一例を示すフローチャートである。
【図１４】実施フェーズにおけるテレビ会議システムの処理手順の詳細を示すフローチャートである。
【図１５】点呼モードにおける利用者端末の画面表示例を示す図である。
【図１６】講演中モードにおける利用者端末の画面表示例を示す図である。
【図１７】挙手受付モードにおける利用者端末の画面表示例を示す図である。
【図１８】発言指示モードにおける利用者端末の画面表示例を示す図である。
【図１９】アンケートモードにおける利用者端末の画面表示例を示す図である。
【図２０】利用者端末に各種センサを組み合わせた場合の拠点の接続例を示す図である。
【図２１】本実施例に係る情報収集・テレビ会議実施制御プログラムを実行するコンピュータの構成を示す機能ブロック図である。
【符号の説明】
【０１１５】
１    情報収集・テレビ会議実施制御装置
２、２１〜２ｎ    テレビ会議端末
３、３１、３２１〜３ｎｎ    利用者端末
４    ＭＣＵ
５    通信ネットワーク
１１    ユーザインタフェース
１２    情報管理部
１３    情報記憶部
１４    制御シナリオ記述部
１５    テレビ会議制御部
４１    ユーザインタフェース
４２    外部システムインタフェース
１００    コンピュータ
１１０    ＲＡＭ
１１１    情報収集・テレビ会議実施制御プログラム
１２０    ＣＰＵ
１３０    ＨＤＤ
１４０    ＬＡＮインタフェース
１５０    入出力インタフェース
１６０    ＤＶＤドライブ
【図１】
2009253625.tif 000003
【図２】
2009253625.tif 000004
【図３】
2009253625.tif 000005
【図４】
2009253625.tif 000006
【図５】
2009253625.tif 000007
【図６】
2009253625.tif 000008
【図７】
2009253625.tif 000009
【図８】
2009253625.tif 000010
【図９】
2009253625.tif 000011
【図１０】
2009253625.tif 000012
【図１１−１】
2009253625.tif 000013
【図１１−２】
2009253625.tif 000014
【図１２】
2009253625.tif 000015
【図１３】
2009253625.tif 000016
【図１４】
2009253625.tif 000017
【図１５】
2009253625.tif 000018
【図１６】
2009253625.tif 000019
【図１７】
2009253625.tif 000020
【図１８】
2009253625.tif 000021
【図１９】
2009253625.tif 000022
【図２０】
2009253625.tif 000023
【図２１】
2009253625.tif 000024